(57)【特許請求の範囲】
【請求項１】
ユーザ機器（ＵＥ）によるワイヤレス通信のための方法であって、
サービングセル内で接続モードにある間に、間欠受信（ＤＲＸ）状態に入ることと、
前記サービングセルに近隣するまたは潜在的に近隣するセルにおける前記サービングセルに対する少なくとも信号品質を示す１つまたは複数のファクタに基づいて、前記サービングセルに近隣するまたは潜在的に近隣するセルの探索および測定をどのくらいの頻度で実行すべきかを決定することと、ここにおいて、前記決定することは、前記１つまたは複数のファクタに基づいて、前記ＵＥが複数の状態のうちの１つにあるかどうかを決定することを備え、
各状態が、前記サービングセルに近隣するまたは潜在的に近隣するセルの探索を実行するための対応する周期性と、前記サービングセルに近隣するまたは潜在的に近隣するセルの測定を実行するための対応する周期性とを有する、
を備える、方法。
【請求項２】
決定したのと同じ頻度で前記サービングセルに近隣するまたは潜在的に近隣するセルの探索および測定を実行することをさらに備える、請求項１に記載の方法。
【請求項３】
前記１つまたは複数のファクタが、
前記サービングセルの基準信号の受信に関係するメトリック、前記サービングセルの信号対雑音比（ＳＮＲ）、測定イベントに入るための条件の満足、または前記サービングセル中のダウンリンク（ＤＬ）チャネルの復号失敗の発生
のうちの少なくとも１つを備える、請求項１に記載の方法。
【請求項４】
前記複数の状態の各々について前記サービングセルに近隣するまたは潜在的に近隣するセルの探索および測定を実行するための周期性は、探索および測定が次の状態ごとにより高い頻度で実行されるようなものである、請求項１に記載の方法。
【請求項５】
前記１つまたは複数のファクタに基づいて、前記ＵＥが複数の状態のうちの１つにあるかどうかを決定することは、
前記サービングセルの基準信号の受信に関係するメトリックが第１のしきい値よりも小さいか、前記サービングセルの信号対雑音比（ＳＮＲ）が第２のしきい値よりも小さいか、第１の測定イベントに入るための条件の満足が生じるか、または前記サービングセル中のダウンリンク（ＤＬ）チャネルの復号失敗が生じるかのうちの少なくとも１つである場合、前記ＵＥが第３の状態にあると決定することと、
前記サービングセルの前記基準信号の受信に関係する前記メトリックが第３のしきい値よりも小さいか、前記サービングセルの前記ＳＮＲが第４のしきい値よりも小さいか、または第２の測定イベントに入るための条件の満足が生じるかのうちの少なくとも１つである場合、前記ＵＥが第２の状態にあると決定することと、
前記ＵＥが前記第２の状態または前記第３の状態のいずれかにあると決定されない場合、前記ＵＥが第１の状態にあると決定することと
を備える、請求項４に記載の方法。
【請求項６】
ユーザ機器（ＵＥ）によるワイヤレス通信のための方法であって、
第１のサービング周波数を１次コンポーネントキャリア（ＰＣＣ）として構成することと、
第２のサービング周波数を２次コンポーネントキャリア（ＳＣＣ）として構成することと、
１つまたは複数のサービングセル内で接続モードにある間に、間欠受信（ＤＲＸ）状態に入ることと、
測定トリガリングイベントが前記ＳＣＣ上で構成されるかどうか、かつ、前記サービングセルが１つまたは複数の前記ＳＣＣ上でアクティブにされるかどうかに基づいて、前記１つまたは複数のサービングセルに近隣するまたは潜在的に近隣するセルの前記第２のサービング周波数上での探索および測定をどのくらいの頻度で実行すべきかを決定することと、ここにおいて、前記決定することは、１つまたは複数のサービングコンポーネントキャリア上のセルに近隣するまたは潜在的に近隣する１つまたは複数の２次サービング周波数上のセルの信号品質メトリックに対する前記第１のサービング周波数上の信号品質メトリックを示す１つまたは複数のファクタに基づいて、前記ＵＥが複数の状態のうちの１つにあるかどうかを決定することを備え、
各状態が、前記１つまたは複数のサービングセルに近隣するまたは潜在的に近隣するセルの前記第２のサービング周波数上での探索を実行するための対応する周期性と、前記１つまたは複数のサービングセルに近隣するまたは潜在的に近隣するセルの前記第２のサービング周波数上での測定を実行するための対応する周期性とを有する、
を備える、方法。
【請求項７】
決定したのと同じ頻度で前記１つまたは複数のサービングセルに近隣するまたは潜在的に近隣するセルの前記第２のサービング周波数上での探索および測定を実行することをさらに備える、請求項６に記載の方法。
【請求項８】
前記決定することが、
１次セル（ＰＣｅｌｌ）の基準信号の前記第１のサービング周波数上での受信に関係するメトリック、前記ＰＣｅｌｌの信号対雑音比（ＳＮＲ）、測定イベントに入るための条件の満足、または前記ＰＣｅｌｌ上のダウンリンク（ＤＬ）チャネルの復号失敗の発生のうちの少なくとも１つを備える１つまたは複数のファクタにさらに基づく、請求項６に記載の方法。
【請求項９】
前記第２のサービング周波数上での前記測定が、次の状態ごとにより高い頻度で実行される、請求項６に記載の方法。
【請求項１０】
前記１つまたは複数のファクタが、
前記ＰＣｅｌｌの基準信号の前記第１のサービング周波数上での受信に関係するメトリック、前記ＰＣｅｌｌの信号対雑音比（ＳＮＲ）、第１の測定イベントに入るための条件の満足、または前記ＰＣｅｌｌ上のダウンリンク（ＤＬ）チャネルの復号失敗の発生のうちの少なくとも１つをさらに備え、
前記１つまたは複数のファクタが、
ＳＣｅｌｌの基準信号の前記第２のサービング周波数上での受信に関係するメトリック、ＳＣｅｌｌの信号対雑音比（ＳＮＲ）、または第２の測定イベントに入るための条件の満足
のうちの少なくとも１つをさらに備える、請求項８に記載の方法。
【請求項１１】
サービングセル内で接続モードにある間に、間欠受信（ＤＲＸ）状態に入ることと、
前記サービングセルに近隣するまたは潜在的に近隣するセルにおける前記サービングセルに対する信号品質を示す１つまたは複数のファクタに基づいて、前記サービングセルに近隣するまたは潜在的に近隣するセルの探索および測定をどのくらいの頻度で実行すべきかを決定することと、ここにおいて、前記決定することは、前記１つまたは複数のファクタに基づいて、前記ＵＥが複数の状態のうちの１つにあるかどうかを決定することを備え、
各状態が、前記サービングセルに近隣するまたは潜在的に近隣するセルの探索を実行するための対応する周期性と、前記サービングセルに近隣するまたは潜在的に近隣するセルの測定を実行するための対応する周期性とを有する、
を行うように構成されたプロセッサと、
前記プロセッサに結合されたメモリと
を備える、ワイヤレス通信のための装置。
【請求項１２】
前記プロセッサが、決定したのと同じ頻度で前記サービングセルに近隣するまたは潜在的に近隣するセルの探索および測定を実行するようにさらに構成された、請求項１１に記載の装置。
【請求項１３】
第１のサービング周波数を１次コンポーネントキャリア（ＰＣＣ）として構成することと、
第２のサービング周波数を２次コンポーネントキャリア（ＳＣＣ）として構成することと、
１つまたは複数のサービングセル内で接続モードにある間に、間欠受信（ＤＲＸ）状態に入ることと、
測定トリガリングイベントが前記ＳＣＣ上で構成されるかどうか、かつ、前記サービングセルが１つまたは複数の前記ＳＣＣ上でアクティブにされるかどうかに基づいて、前記１つまたは複数のサービングセルに近隣するまたは潜在的に近隣するセルの前記第２のサービング周波数上での探索および測定をどのくらいの頻度で実行すべきかを決定することと、ここにおいて、前記決定することは、１つまたは複数のサービングコンポーネントキャリア上のセルに近隣するまたは潜在的に近隣する１つまたは複数の２次サービング周波数上のセルの信号品質メトリックに対する前記第１のサービング周波数上の信号品質メトリックを示す１つまたは複数のファクタに基づいて、前記ＵＥが複数の状態のうちの１つにあるかどうかを決定することを備え、
各状態が、前記１つまたは複数のサービングセルに近隣するまたは潜在的に近隣するセルの前記第２のサービング周波数上での探索を実行するための対応する周期性と、前記１つまたは複数のサービングセルに近隣するまたは潜在的に近隣するセルの前記第２のサービング周波数上での測定を実行するための対応する周期性とを有する、
を行うように構成されたプロセッサと、
前記プロセッサに結合されたメモリと
を備える、ワイヤレス通信のための装置。
【請求項１４】
前記プロセッサが、決定したのと同じ頻度で前記１つまたは複数のサービングセルに近隣するまたは潜在的に近隣するセルの前記第２のサービング周波数上での探索および測定を実行するようにさらに構成された、請求項１３に記載の装置。
【発明の詳細な説明】
【技術分野】
【０００１】
関連出願の相互参照
[0001]本特許出願は、本出願の譲受人に譲渡され、その全体が参照により本明細書に明確に組み込まれる、２０１３年５月７日に出願された米国仮出願第６１／８２０，５６７号の優先権を主張する。
【０００２】
[0002]本開示は、一般にワイヤレス通信に関し、より詳細には、ロングタームエボリューション（ＬＴＥ：long term evolution）における接続モード間欠受信（Ｃ−ＤＲＸ：connected mode discontinuous reception）状態下で異なるユーザ機器（ＵＥ）状態を利用する方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥ／ＬＴＥアドバンスト（LTE-Advanced）は、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥ／ＬＴＥアドバンストは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器（ＵＥ）によるワイヤレス通信のための方法を提供する。本方法は、概して、サービングセル内で接続モードにある間に、間欠受信（ＤＲＸ：discontinuous reception）状態に入ることと、サービングセルにおける信号品質、あるいはサービングセルに近隣するまたは潜在的に近隣するセルにおけるサービングセルに対する信号品質のうちの少なくとも１つを示す１つまたは複数のファクタに基づいて、サービングセルに近隣するまたは潜在的に近隣するセルの探索および測定をどのくらいの頻度で実行すべきかを決定することとを含む。
【０００６】
[0006]本開示のいくつかの態様は、ユーザ機器（ＵＥ）によるワイヤレス通信のための方法を提供する。本方法は、概して、第１の周波数を１次コンポーネントキャリア（ＰＣＣ：primary component carrier）として構成することと、第２の周波数を２次コンポーネントキャリア（ＳＣＣ：secondary component carrier）として構成することと、１つまたは複数のサービングセル内で接続モードにある間に、間欠受信（ＤＲＸ）状態に入ることと、測定トリガリングイベントがＳＣＣ上で構成されるかどうかに基づいて、１つまたは複数のサービングセルに近隣するまたは潜在的に近隣するセルの第２の周波数上での探索および測定をどのくらいの頻度で実行すべきかを決定することとを含む。
【０００７】
[0007]態様は、概して、添付の図面に関して本明細書で実質的に説明し、添付の図面によって示されるように、方法、装置、システム、コンピュータプログラム製品、および処理システムを含む。「ＬＴＥ」は、概して、ＬＴＥおよびＬＴＥアドバンスト（ＬＴＥ−Ａ）を指す。
【図面の簡単な説明】
【０００８】
【図１】[0008]本開示のいくつかの態様による、ネットワークアーキテクチャの一例を示す図。
【図２】[0009]本開示のいくつかの態様による、アクセスネットワークの一例を示す図。
【図３】[0010]ＬＴＥにおけるＤＬフレーム構造の一例を示す図。
【図４】[0011]ＬＴＥにおけるＵＬフレーム構造の一例を示す図。
【図５】[0012]ユーザプレーンおよび制御プレーンのための無線プロトコルアーキテクチャの一例を示す図。
【図６】[0013]本開示のいくつかの態様による、アクセスネットワーク中の発展型ノードＢおよびユーザ機器の一例を示す図。
【図７】[0014]本開示のいくつかの態様による、連続キャリアアグリゲーション（ＣＡ：carrier aggregation）を示す図。
【図８】[0015]本開示のいくつかの態様による、不連続キャリアアグリゲーションを示す図。
【図９】[0016]本開示のいくつかの態様による、例示的な動作を示す図。
【図１０Ａ】[0017]本開示のいくつかの態様による、１次セル（ＰＣｅｌｌ：primary cell）および２次セル（ＳＣｅｌｌ：secondary cell）の例示的なネットワークを示す図。
【図１０Ｂ】本開示のいくつかの態様による、１次セル（ＰＣｅｌｌ）および２次セル（ＳＣｅｌｌ）の例示的なネットワークを示す図。
【図１０Ｃ】本開示のいくつかの態様による、１次セル（ＰＣｅｌｌ）および２次セル（ＳＣｅｌｌ）の例示的なネットワークを示す図。
【図１１】[0018]本開示のいくつかの態様による、たとえば、ユーザ機器（ＵＥ）によって実行される例示的な動作を示す図。
【図１２Ａ】[0019]本開示のいくつかの態様による、ＣＡを用いて動作しているＵＥの一例を示す図。
【図１２Ｂ】本開示のいくつかの態様による、ＣＡを用いて動作しているＵＥの一例を示す図。
【図１３Ａ】[0020]本開示のいくつかの態様による、ＣＡを用いて動作しているＵＥの一例を示す図。
【図１３Ｂ】本開示のいくつかの態様による、ＣＡを用いて動作しているＵＥの一例を示す図。
【図１４Ａ】[0021]本開示のいくつかの態様による、ＣＡを用いて動作しているＵＥの一例を示す図。
【図１４Ｂ】本開示のいくつかの態様による、ＣＡを用いて動作しているＵＥの一例を示す図。
【図１５】[0022]本開示のいくつかの態様による、たとえば、ＵＥによって実行されるワイヤレス通信のための例示的な動作１５００を示す図。
【発明を実施するための形態】
【０００９】
[0023]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１０】
[0024]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１１】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００１２】
[0026]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれるべきである。
例示的なワイヤレス通信システム
[0027]図１は、本開示の態様が利用され得るＬＴＥネットワークアーキテクチャ１００を示す図である。
【００１３】
[0028]ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者が容易に諒解するように、本開示全体にわたって提示される様々な概念は、回線交換サービスを提供するネットワークに拡張され得る。
【００１４】
[0029]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、アクセスポイント、または何らかの他の好適な用語で呼ばれることもある。ｅＮＢ１０６は、ＵＥ１０２にＥＰＣ１１０へのアクセスポイントを与え得る。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、ウルトラブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。本開示の態様によれば、ＵＥ１０２は、図１１に示す動作１１００と、図１５に示す動作１５００とを実行し得る。
【００１５】
[0030]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネット、イントラネット、ＩＰマルチメディアサブシステム（ＩＭＳ：IP Multimedia Subsystem）、およびＰＳ（パケット交換）ストリーミングサービス（ＰＳＳ：PS Streaming Service）を含み得る。このようにして、ＵＥ１０２は、ＬＴＥネットワークを通してＰＤＮに結合され得る。
【００１６】
[0031]図２は、本開示の態様が利用され得る例示的なアクセスネットワーク２００を示す図である。
【００１７】
[0032]アクセスネットワーク２００はＬＴＥネットワークアーキテクチャの一例である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ネットワーク２００はまた、１つまたは複数のリレー（図示せず）を含み得る。一態様によれば、ＵＥはリレーとして働き得る。本開示の態様によれば、ＵＥ２０６も、図１１に示す動作１１００と、図１５に示す動作１５００とを実行し得る。
【００１８】
[0033]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１９】
[0034]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２０】
[0035]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２１】
[0036]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２２】
[0037]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、Ｒ３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２３】
[0038]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００２４】
[0039]ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００２５】
[0040]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２６】
[0041]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。
【００２７】
[0042]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００２８】
[0043]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２９】
[0044]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３０】
[0045]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００３１】
[0046]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３２】
[0047]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３３】
[0048]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３４】
[0049]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３５】
[0050]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３６】
[0051]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ、変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００３７】
[0052]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３８】
[0053]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３９】
[0054]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４０】
[0055]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。以下でさらに詳細に説明するように、本開示のいくつかの態様によれば、チャネル推定値はまた、サービングセルの近隣するおよび潜在的に近隣するセルの探索ならびに測定をどのくらいの頻度で実行すべきかを決定する際に使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４１】
[0056]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４２】
[0057]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。態様では、ＵＥ６５０におけるコントローラ／プロセッサ６５９、受信プロセッサ６５６、送信プロセッサ６６８ならびに／あるいは他のプロセッサおよびモジュールは、本明細書で説明する技法のための動作および／またはプロセス（たとえば、図１１の動作１１００および図１５の動作１５００）を実行または指示し得る。態様では、ｅＮＢ６１０におけるコントローラ／プロセッサ６７５、受信プロセッサ６７０、送信プロセッサ６１６ならびに／あるいは他のプロセッサおよびモジュールは、本明細書で説明する技法のための動作および／またはプロセスを実行または指示し得る。
【００４３】
[0058]ＬＴＥワイヤレス通信では、ＵＥは、サービングセルおよび近隣セルの信号強度測定値に基づいて、いくつかのイベントが生じたと決定し得る。たとえば、ＵＥは、ＵＥのサービングセルの信号強度がしきい値を下回ったとＵＥが決定することに基づいて、Ａ３イベントが生じたと決定し得る。第２の例では、ＵＥは、近隣セルの信号強度がＵＥのサービングセルの信号強度よりも高いしきい値量であると決定することに基づいて、Ａ５イベントが生じたと決定し得る。
キャリアアグリゲーション
[0059]ＬＴＥアドバンストＵＥは、各方向において送信のために、最高合計１００ＭＨｚ（５つのキャリアまたはサービング周波数）のキャリアアグリゲーションにおいて割り振られた最高２０ＭＨｚ帯域幅のキャリアに分割されたスペクトルを使用し得る。キャリアがアグリゲートされたとき、各個のキャリアはコンポーネントキャリアと呼ばれることがある。ＬＴＥアドバンストモバイルシステムのために、２つのタイプのキャリアアグリゲーション（ＣＡ）方法、すなわち、連続ＣＡおよび不連続ＣＡが提案されている。不連続ＣＡと連続ＣＡの両方は、単一のＬＴＥアドバンストＵＥをサービスするために複数のコンポーネントキャリアをアグリゲートする。
【００４４】
[0060]様々な実施形態によれば、（キャリアアグリゲーションとも呼ばれる）マルチキャリアシステムにおいて動作しているＵＥは、１次キャリアまたは１次コンポーネントキャリア（ＰＣＣ）と呼ばれることがある同じキャリア上で、制御機能およびフィードバック機能など、複数のキャリアのいくつかの機能をアグリゲートするように構成される。サポートのために１次キャリアに依存するキャリアは、関連する２次キャリアまたは２次コンポーネントキャリア（ＳＣＣ）と呼ばれる。たとえば、ＵＥは、物理アップリンク制御チャネル（ＰＵＣＣＨ）、および／または物理ダウンリンク制御チャネル（ＰＤＣＣＨ）によって提供される制御機能などの制御機能をアグリゲートし得る。ＣＡは、１次キャリア上のリソースのみが制御機能のために使用され、２次キャリアのすべてがデータ送信のために利用可能であるという点で、全体的な伝送効率を改善することができる。したがって、制御機能に対する送信データの比は、不ＣＡ技法と比較して、ＣＡによって増加され得る。
【００４５】
[0061]図７に、周波数において他を教示するために隣接する複数の利用可能なコンポーネントキャリア７１０がアグリゲートされる連続ＣＡ７００を示す。
【００４６】
[0062]図８に、周波数において分離される複数の利用可能なコンポーネントキャリア７１０がアグリゲートされる不連続ＣＡ８００を示す。
【００４７】
[0063]図９に、一例による、物理チャネルをグループ化することによって複数キャリアワイヤレス通信システムにおいて無線リンクを制御するための方法９００を示す。図示のように、本方法は、ブロック９０５において、１次キャリアと、１つまたは複数の関連する２次キャリアとを形成するために、少なくとも２つのキャリアからの制御機能を１つのキャリア上にアグリゲートすることを含む。たとえば、図７中のコンポーネントキャリア７１０ａ、７１０ｂ、および７１０ｃのための制御機能のすべては、キャリア７１０ａ、７１０ｂ、および７１０ｃのアグリゲーションのための１次キャリアとして働く、コンポーネントキャリア７１０ａ上でアグリゲートされ得る。次にブロック９１０において、１次キャリアと各２次キャリアとのための通信リンクを確立する。たとえば、ｅノードＢに関連するＵＥは、コンポーネントキャリア７１０ａ、７１０ｂ、および７１０ｃに関する構成情報と、１次キャリア７１０ａならびに関連する２次キャリア７１０ｂおよび７１０ｃ上で受信されるべき制御情報間のマッピングを示す構成情報とを受信する。次いで、ブロック９１５において、１次キャリアに基づいて通信を制御する。たとえば、ｅノードＢは、ＵＥを対象とし、２次キャリア７１０ｂ上でｅノードＢによって送信されるＰＤＳＣＨのために、ＵＥにダウンリンク許可を搬送する１次キャリア７１０ａ上でＵＥにＰＤＣＣＨを送信し得る。
【００４８】
[0064]ＣＡを使用するシステムにおける各キャリアは、他のキャリアのカバレージエリアに依存しないカバレージエリアをサービスし得る。１次コンポーネントキャリアを送信する基地局およびその１次コンポーネントキャリアのカバレージエリアは、コンテキストに応じて、１次セルまたはＰＣｅｌｌと呼ばれることがある。２次コンポーネントキャリアを送信する基地局および２次コンポーネントキャリアのカバレージエリアは、コンテキストに応じて、２次セルまたはＳＣｅｌｌと呼ばれることがある。ＰＣｅｌｌおよびＳＣｅｌｌのカバレージエリアは、実質的に同等のエリアからなり得るか、または著しく異なり得る。
【００４９】
[0065]図１０Ａ、図１０Ｂ、および図１０Ｃに、ＰＣｅｌｌおよびＳＣｅｌｌの例示的なネットワークを示し、ここにおいて、ＰＣｅｌｌとＳＣｅｌｌとは異なるエリアをカバーする。図１０Ａは、ＰＣｅｌｌとＳＣｅｌｌとが、異なるサイズの、しかし基地局から同様の方向にあるエリアをカバーするネットワークを示す。図１０Ｂは、本開示の態様による、ＰＣｅｌｌが実質的に同等のエリアをカバーするネットワークを示す。図１０Ｃは、本開示の態様による、ＰＣｅｌｌとＳＣｅｌｌとが異なるエリアをカバーする例示的なネットワークを示す。ＰＣｅｌｌおよびＳＣｅｌｌは、単一の基地局、または複数の基地局によってサポートされ得る。
【００５０】
[0066]２次セルは、基地局または他のネットワークエンティティからのコマンドに応じて、ＵＥに対してアクティブまたは非アクティブにされた状態にあり得る。ＳＣｅｌｌがＵＥに対して非アクティブにされたとき、ＵＥは、ＳＣｅｌｌによって使用されるＳＣＣ上での送信を送信または受信していない。ＵＥは、ＵＥがそのＳＣＣ上で送信または受信するために使用するであろう送信機、受信機、またはトランシーバの電源を切断したか、あるいはそれらを再構成していることがある。ＵＥは、たとえば、電力を節約しおよび／またはバッテリー性能を改善するために受信機をオフにし得る。ＵＥは、依然としてそのＳＣＣに関する情報で構成され得、ＳＣｅｌｌは、基地局または他のネットワークエンティティからの適切なコマンドの受信時にＵＥに対してアクティブにされ得る。
ＬＴＥにおける接続モード間欠受信状態におけるユーザ機器パニック状態
[0067]ＵＥ、たとえばＵＥ２０６のうちの１つが、ＬＴＥセル、たとえばセル２０２のうちの１つにキャンプオンしたとき、ＵＥは、時々、近隣するまたは潜在的に近隣するセルの信号品質を探索および測定する必要がある。ＵＥが強い近隣セルを検出したとき、ＵＥは、近隣セルに再選択するか、またはそれにハンドオーバし得、それにより、概して、性能が良くなり（たとえば、スループットが高くなり）、および／または強い干渉による無線リンク障害の危険が低減される。最も強いセルは、様々なセルのカバレージ領域を通るＵＥの移動によりしばしば変化するので、これは、モバイルＵＥをサポートするために特に重要である。
【００５１】
[0068]公開されている、３ＧＰＰ  ＴＳ３６．１３３、「Evolved Universal Terrestrial Radio Access (E-UTRA); Requirements for support of radio resource management」は、ＵＥが、近隣するおよび潜在的に近隣するセル（「近隣セル」は、以下で、近隣するおよび潜在的に近隣するセルを含むことが理解される）をどのくらいの頻度で検出ならびに測定する必要があるかについての最小要件を規定している。ＵＥは、近隣セルの探索および／または測定の異なる実装形態を有し得る。近隣セル探索および／または測定周期性が仕様における要件を満たす限り、各ＵＥ実装形態は、任意の方法によって近隣セル探索および／または測定の周期性を決定し得る。
【００５２】
[0069]以下の表は、３ＧＰＰ  ＴＳ３６．１３３、「Evolved Universal Terrestrial Radio Access (E-UTRA); Requirements for support of radio resource management」からのものである。たとえば、表は、定義されたＤＲＸサイクル長をもつＤＲＸを実行するＵＥのためのＦＤＤ周波数内セルのための最小所要近隣セル探索および測定周期性を決定するために使用され得る。周波数内セルは、ＵＥのサービングセルと同じキャリア周波数上で送信するセルである。
【００５３】
【表１】
0006453313.tif 000002
【００５４】
【表２】
0006453313.tif 000003
【００５５】
[0070]ＵＥが近隣セル探索および測定を極めて高い頻度でスケジュールした場合、ＵＥは、常に、極めて迅速に近隣セルを見つけ得る。近隣セル探索および測定を極めて高い頻度で実行することは、極めて迅速に近隣セルを見つけることが、ＵＥが近隣セルのカバレージ領域を通って移動するので、ＵＥが、優れた接続性を提供する近隣セルを見つけ、それに再選択することを可能にし得るという点で、最良モビリティ性能を与える。しかしながら、探索および測定を極めて高い頻度で実行することは、仕様によって必要とされる最小レートにおいて探索および測定を実行することと比較して、ＵＥにより多くの電力を消費させ、および／またはＵＥの電力性能を悪化させる。一方、ＵＥが、仕様によって必要とされる最小レートにおいて探索および測定をスケジュールした場合、ＵＥは、それの電力消費を著しく減少させ、および／またはそれの電力性能を改善し得る。しかしながら、ＵＥは、綿密にはネイバーを追跡せず、および／または、ＵＥが近隣セルのカバレージ領域を通って移動しているので、ＵＥが、近隣セルを見つけ、それに再選択することができないことにより、移動している間の接続性が不十分であるという欠点があり得る。
【００５６】
[0071]いくつかのＵＥがＬＴＥセルにキャンプオンし、アイドルモードに留まるとき、パニックモードが実装されている。いくつかの態様によれば、接続モードＤＲＸ（Ｃ−ＤＲＸ）のための１つまたは複数の状態（たとえば、パニック状態）が開示される。ボイスオーバーＬＴＥ（ＶｏＬＴＥ：Voice over LTE）はＣ−ＤＲＸ適用例の一例であり、ここにおいて、電力消費は極めて重要な問題である。
【００５７】
[0072]モビリティ性能と電力消費との間の良好なトレードオフのために、いくつかの態様によれば、近隣セル探索および／または測定をスケジュールする適応方法が開示される。いくつかの態様によれば、ＵＥが、潜在的な強い近隣セルがあり得るという指示を有するとき、すなわち、ＵＥが「パニックモード」状態に入るとき、ＵＥは、ＵＥが「パニックモード」状態にないときよりもはるかに高い頻度で近隣セル探索および／または測定をスケジュールし得、他の場合、ＵＥは、電力を節約するために最小近隣セル探索および／または測定アクティビティを維持し得る。
【００５８】
[0073]いくつかの態様によれば、近隣セル探索および／または測定周期性を決定するための３つの状態の使用が開示される。３つの状態は、通常モードと、軽パニックモードと、パニックモードとして説明され得る。ＵＥが通常モードにあるとき、ＵＥは、仕様によって必要とされる最小レベルにおいて近隣セル探索および／または測定をスケジュールし得る。ＵＥが軽パニックモードにあるとき、ＵＥは、近くに強い近隣セルを有する可能性があり、ＵＥは、ＵＥが通常モードにあるときよりも高い頻度で近隣セル探索および／または測定をスケジュールし得る。最後に、ＵＥがパニックモードにあるとき、ＵＥは、ＵＥのサービングセルへの通信リンクを維持するのが困難であり得、および／または強い近隣セルが極めて有望であり、したがって、近隣セル探索および／または測定は、ＵＥが軽パニックモードにあるときよりもさらに高い頻度でスケジュールされる。
【００５９】
[0074]いくつかの態様によれば、ＵＥにおける条件は、ＵＥがどの状態（すなわち、モード）にあるかを決定するための入力として使用され得る。態様では、ＵＥにおける条件は、（１つまたは複数の）サービングセルおよび／または１つまたは複数の近隣セルに関連付けられた信号の品質、強度ならびに／あるいは電力に基づき得る。ＵＥがどの状態にあるかを決定するための入力として使用され得るＵＥにおける条件の例としては、サービングセル（１次セルまたは２次セルのいずれか）の信号対雑音比（ＳＮＲ：signal to noise ratio）、サービングセル（１次セルまたは２次セルのいずれか）の基準信号受信品質（ＲＳＲＱ：reference signal received quality）、特定の測定イベントの構成、特定の測定イベントのための構成されたオフセットおよびしきい値、測定イベントに入るための条件を満たすこと、ならびにＵＥにおけるＤＬ復号失敗がある。
【００６０】
[0075]いくつかの態様によれば、ＵＥがどの状態（たとえば、パニックモード状態）に遷移すべきか、またはどの状態に留まるべきかを決定するためにアルゴリズムが使用され得る。ＵＥがどの状態に遷移すべきか、またはどの状態に留まるべきかを決定する際に、値あるいは１つまたは複数のパラメータあるいは１つまたは複数のイベントの発生が使用され得る。例示的なアルゴリズムを以下に提示する。
【００６１】
【表３】
0006453313.tif 000004
【００６２】
[0076]「測定イベントＡ３」に入るための条件を満たすことは、ＵＥが、ネットワーク構成された量よりも多い量だけサービングセルよりも良好である近隣セル（たとえば、近隣セルのＲＳＲＱがサービングセルのＲＳＲＱよりも高い）を測定したことを意味し得る。「測定イベントＡ２」に入るための条件を満たすことの発生は、ＵＥによって測定された、サービングセルの品質（たとえば、ＲＳＲＰまたはＲＳＲＱ）が、ネットワーク構成されたしきい値を下回ったことを意味し得る。「Ｐ−ＲＮＴＩに対するＣＲＣ失敗」の発生は、ＵＥがサービングセルからのページング信号を復号することが可能でないことを意味し得、それは、通常、低レートであり、復号することが容易である。これらの発生の各々は、それのサービングセルへのＵＥの接続が不十分な状態にあり得ることを暗示し得、より頻度が高い近隣セル探索および測定が、ＵＥへの優れた接続を提供する近隣セルに迅速に再選択するために有用であり得る。特定のサービングセルメトリック、イベントおよび／または発生について上記で説明したが、ＵＥがどの状態に遷移すべきか、またはどの状態に留まるべきかを決定する際に、他のメトリック、イベントおよび／または発生が採用され得る。測定イベントＡ２およびＡ３について上記で説明したが、Ａ５など、他の測定も採用され得る。
【００６３】
[0077]図１１に、たとえば、ＵＥ２０６など、ＵＥによって実行される例示的な動作１１００を示す。１１０２において、ＵＥは、サービングセル内で接続モード（たとえば、ＲＲＣ接続モード）にある間に、間欠受信（ＤＲＸ）状態に入る。１１０４において、ＵＥは、サービングセルにおける信号品質、あるいはサービングセルに近隣するまたは潜在的に近隣するセルにおけるサービングセルに対する信号品質のうちの少なくとも１つを示す１つまたは複数のファクタに基づいて、サービングセルに近隣するまたは潜在的に近隣するセルの探索および測定をどのくらいの頻度で実行すべきかを決定する。
【００６４】
[0078]いくつかの態様によれば、ＵＥは、決定されるたびにサービングセルに近隣するまたは潜在的に近隣するセルの探索および測定を実行し得る。たとえば、ＵＥは、通常モードにあるとき、３ＧＰＰ  ＴＳ３６．１３３において指定される最小レートにおいて、軽パニックモードにあるとき、１つおきのＤＲＸサイクル中に、およびパニックモードにあるとき、あらゆるＤＲＸサイクル中に近隣セルの探索および測定を実行するように構成され得る。この例では、ＵＥは、表８．１．２．２．１．２−２のように、通常モードで、長さ０．０８ｓのＤＲＸサイクルをもつＣ−ＤＲＸ状態で動作し、５つおきのＤＲＸサイクル中に周波数内ＦＤＤネイバーセルを測定していることがある。この例では、ＵＥがパニックモードに遷移することを決定したとき、ＵＥは５サイクル測定間隔の第２のＤＲＸサイクル中にあり得る。この例では、ＵＥは、あらゆるＤＲＸサイクル中に探索および測定を実行することを直ちに開始し、あらゆるＤＲＸサイクル中に探索および測定を実行することに変わる前に通常モードの５サイクル測定間隔の終了まで待たないことがある。
【００６５】
[0079]いくつかの態様によれば、１つまたは複数のファクタは、サービングセルの基準信号の受信に関係するメトリック、サービングセルの信号対雑音比（ＳＮＲ）、測定トリガリングイベントの発生、またはサービングセル中のダウンリンク（ＤＬ）チャネルの復号失敗の発生のうちの少なくとも１つを備える。たとえば、ＵＥは、サービングセルのＲＳＲＰ、サービングセルのＲＳＲＱ、サービングセルのＳＮＲ、測定イベントＡ３の発生、測定イベントＡ２の発生、またはサービングセルからのページングメッセージを復号することの失敗に基づいて、どの状態に遷移すべきか、またはどの状態に留まるべきかを決定し得る。
【００６６】
[0080]いくつかの態様によれば、上記決定することは、１つまたは複数のファクタに基づいて、ＵＥが複数の状態のうちの１つにあるかどうかを決定することを備え、各状態は、サービングセルに近隣するまたは潜在的に近隣するセルの探索を実行するための対応する周期性と、サービングセルに近隣するまたは潜在的に近隣するセルの測定を実行するための対応する周期性とを有する。態様では、そのような周期性は、たとえば、ネットワークによって与えられるＵＥ構成に関連付けられたそれらの周期性とは異なり得る。このようにして、ＵＥは、パニックモード状態に基づいてそのような探索および／または測定周期性を動的に更新し得る。
【００６７】
[0081]いくつかの態様によれば、第１の状態の周期性は、サービングセルに近隣するまたは潜在的に近隣するセルの探索および測定をどのくらいの頻度で実行すべきかについての最小定義要件に対応する。たとえば、ＵＥは、第１の状態にあるとき、３ＧＰＰ  ＴＳ３６．１３３からの表８．１．２．２．１．２−１および表８．１．２．２．１．２−２に記載されている最小レートおいて近隣セルの探索および測定を実行するように構成され得る。
【００６８】
[0082]いくつかの態様によれば、複数の状態は少なくとも第１および第２の状態を備え、第１および第２の状態の各々についてサービングセルに近隣するまたは潜在的に近隣するセルの探索および測定を実行するための周期性は、探索および測定が第１の状態についてよりも第２の状態について高い頻度で実行されるようなものである。たとえば、第１の状態の周期性は、３ＧＰＰ  ＴＳ３６．１３３からの表８．１．２．２．１．２−１および表８．１．２．２．１．２−２に記載されている最大周期性（すなわち、最小レート）ごとであり得るが、第２の状態の周期性は、第１の状態の周期性の１／２である（すなわち、レートを２倍にする）ように定義され得る。
【００６９】
[0083]いくつかの態様によれば、複数の状態は少なくとも第１、第２、および第３の状態を備え、第１、第２、および第３の状態の各々についてサービングセルに近隣するまたは潜在的に近隣するセルの探索および測定を実行するための周期性は、探索および測定が、第１の状態についてよりも第２の状態について高い頻度で実行され、第２の状態についてよりも第３の状態について高い頻度で実行されるようなものである。
【００７０】
[0084]いくつかの態様によれば、１つまたは複数のファクタに基づいて、ＵＥが複数の状態のうちの１つにあるかどうかを決定することは、サービングセルの基準信号の受信に関係するメトリックが第１のしきい値よりも小さいか、サービングセルの信号対雑音比（ＳＮＲ）が第２のしきい値よりも小さいか、第１の測定トリガリングイベントが生じるか、またはサービングセル中のダウンリンク（ＤＬ）チャネルの復号失敗が生じるかのうちの少なくとも１つである場合、ＵＥが第３の状態にあると決定することを含む。たとえば、ＵＥは、ＵＥのサービングセルのＲＳＲＱが第１のしきい値を下回るか、ＵＥのサービングセルのＳＮＲが第２のしきい値を下回るか、測定イベントＡ３が生じるか、またはＵＥがサービングセルからのページングメッセージを復号することに失敗する場合、第３の状態に遷移するか、またはその状態に留まることを決定し得る。
【００７１】
[0085]いくつかの態様によれば、１つまたは複数のファクタに基づいて、ＵＥが複数の状態のうちの１つにあるかどうかを決定することは、サービングセルの基準信号の受信に関係するメトリックが第３のしきい値よりも小さいか、サービングセルのＳＮＲが第４のしきい値よりも小さいか、または第２の測定トリガリングイベントが生じるかのうちの少なくとも１つである場合、ＵＥが第２の状態にあると決定することをさらに備える。たとえば、ＵＥは、サービングセルのＲＳＲＱが第３のしきい値を下回るか、サービングセルのＳＮＲが第４のしきい値を下回るか、または測定イベントＡ２が生じる場合基づいて、第２の状態に遷移するか、またはその状態に留まることを決定し得る。
【００７２】
[0086]いくつかの態様によれば、１つまたは複数のファクタに基づいて、ＵＥが複数の状態のうちの１つにあるかどうかを決定することは、ＵＥが第２の状態または第３の状態のいずれかにあると決定されない場合、ＵＥが第１の状態にあると決定することをさらに備える。たとえば、ＵＥは、サービングセルのＲＳＲＱが少なくとも第３のしきい値に等しく、サービングセルのＳＮＲが少なくとも第４のしきい値に等しく、測定イベントＡ２およびＡ３が少なくとも２つのＤＲＸサイクルの間生じず、ＵＥがサービングセルからの直近のページングメッセージを正常に復号した場合、第１の状態に遷移するか、またはその状態に留まることを決定し得る。
キャリアアグリゲーションを用いた接続モード間欠受信状態におけるユーザ機器パニック状態
[0087]ＵＥ、たとえばＵＥ２０６のうちの１つが、ＣＡシステムにおいて複数のキャリアを使用して受信するように構成されるとき、ＵＥは、時々、キャリアの各々上の近隣するまたは潜在的に近隣するセルの信号品質を探索および測定する必要がある。ＵＥが、特定のキャリア上で動作している強い近隣セルを検出したとき、ｅＮＢは、そのキャリア上の近隣セルにＵＥをハンドオーバする（たとえば、ＰＣｅｌｌ変更）か、またはそのネイバーを用いて２次セルを変更し（たとえば、ＳＣｅｌｌ変更）得、それにより、概して、性能が良くなる（たとえば、スループットが高くなる）。さらに、１次セル（ＰＣｅｌｌ）上でハンドオーバすることにより、無線リンク障害の危険が低減されることもある。最も強いセルは、様々なセルのカバレージ領域を通るＵＥの移動によりしばしば変化するので、１次コンポーネントキャリアと２次コンポーネントキャリアとが異なるカバレージを有し得る場合、これは、モバイルＵＥをサポートするために特に重要である。
【００７３】
[0088]上記で説明したように、ＵＥが近隣セル探索および測定を極めて高い頻度でスケジュールした場合、ＵＥは、常に、極めて迅速に近隣セルを見つけ得る。近隣セル探索および測定を極めて高い頻度で実行することは、極めて迅速に近隣セルを見つけることが、ＵＥが近隣セルのカバレージ領域を通って移動するので、ＵＥが、優れた接続性を提供する近隣セルを見つけ、それに再選択することを可能にし得るという点で、最良モビリティ性能を与える。しかしながら、探索および測定を極めて高い頻度で実行することは、仕様によって必要とされる最小レートにおいて探索および測定を実行することと比較して、ＵＥにより多くの電力を消費させ、および／またはＵＥの電力性能を悪化させる。一方、ＵＥが、仕様によって必要とされる最小レートにおいて探索および測定をスケジュールした場合、ＵＥは、それの電力消費を著しく減少させ、および／またはそれの電力性能を改善し得る。しかしながら、ＵＥは、綿密にはネイバーを追跡せず、および／または、ＵＥが近隣セルのカバレージ領域を通って移動しているので、ＵＥが、近隣セルを見つけ、それに再選択することができないことにより、移動している間の接続性が不十分であるという欠点があり得る。
【００７４】
[0089]ＵＥによるＳＣＣ探索および測定は周波数内測定と考えられ得る。したがって、ＵＥは、非アクティブ／アクティブ状態について３ＧＰＰ３６．１３３のセクション８．３において定義されている時間期間ごとにＳＣＣ測定を実行し得る。ＵＥは、ＳＣｅｌｌがＵＥに対してアクティブにされるかどうかにかかわらず、ＳＣＣ測定を実行し得る。
【００７５】
[0090]ＳＣＣは、ＵＥがすべてのＳＣｅｌｌカバレージエリアの外側にあり得るとしても、ＵＥのために構成され得る。すべてのＳＣｅｌｌカバレージエリアの外側のＳＣＣで構成されたＵＥは、ＵＥが、依然としてＰＣＣ上で接続され得るので、無線リンク障害（ＲＬＦ）状態にあると考えられない。したがって、ＵＥは、すべてのＳＣｅｌｌカバレージエリアの外側にあるときでも、ＳＣｅｌｌおよびそれのネイバーを探索および測定し続けるべきである。
【００７６】
[0091]ＵＥはＰＣｅｌｌからＳＣｅｌｌにハンドオーバし得る。このハンドオーバは、ＳＣｅｌｌがアクティブにされるか、または非アクティブにされるかにかかわらず行われ得る。たとえば、ＵＥは、ＰＣｅｌｌとＳＣｅｌｌとを用いたＣＡのために構成され得、ＳＣｅｌｌは非アクティブにされる。この例では、ＵＥは、ＵＥのサービングＰＣｅｌｌのカバレージエリアの外側に移動していることがあり、サービングＰＣｅｌｌは、ＳＣｅｌｌにハンドオーバするようにＵＥに命令し得る。この例では、ＵＥは、ＳＣＣを新しい１次キャリアとして扱うように再構成され得、ＵＥは、以前はＳＣｅｌｌであった新しいＰＣｅｌｌにハンドオーバし得る。
【００７７】
[0092]ＵＥは、ＰＣｅｌｌハンドオーバから、ＵＥの現在のＳＣＣと同じキャリア上のネイバーセルにハンドオーバし得る。このハンドオーバは、ＳＣｅｌｌがアクティブにされるか、または非アクティブにされるかにかかわらず行われ得る。たとえば、ＵＥは、ＰＣＣとＳＣＣとを用いたＣＡのために構成され得、ＳＣＣは非アクティブにされる。この例では、ＵＥは、ＵＥのサービングＰＣｅｌｌのカバレージエリアの外側に移動していることがあり、サービングＰＣｅｌｌは、ＵＥの現在のＳＣＣと同じキャリア上のネイバーセルにハンドオーバするようにＵＥに命令し得る。この例では、ＵＥは、ＳＣＣを新しい１次キャリアとして扱うように再構成され得、ＵＥは、ネイバーセルにハンドオーバし得、ネイバーセルをＰＣｅｌｌとして扱う。
【００７８】
[0093]ＵＥは、ＵＥの現在のＳＣｅｌｌを、ＵＥの現在のＳＣＣ上で動作している近隣セルと「スワップ」し得る。たとえば、ＵＥは、ＰＣｅｌｌおよびＳＣｅｌｌによってサービスされるように構成され得、セル探索および測定によって、近隣セルがＳＣＣ上でより強い信号を有すると決定し得る。この例では、ＵＥは、近隣セルをＵＥのための新しいＳＣｅｌｌとして構成するように命令され得、ＵＥは、依然として、ＵＥのＰＣｅｌｌによってＰＣＣ上でサービスされている間、近隣セルからＳＣＣ上での送信を受信し得る。
【００７９】
[0094]図１０Ａ、図１０Ｂ、および図１０Ｃに示したように、１次および２次サービングセル（たとえば、ＰＣｅｌｌおよびＳＣｅｌｌ）カバレージエリアは一致しないことがある。ＰＣｅｌｌカバレージエリアはＳＣｅｌｌカバレージエリアよりも大きくまたは小さくなり得る。さらに、ＰＣｅｌｌカバレージエリアとＳＣｅｌｌカバレージエリアとは、各ＰＣｅｌｌカバレージエリアが２つ以上のＳＣｅｌｌカバレージエリアと重複し、各ＳＣｅｌｌカバレージエリアが２つ以上のＰＣｅｌｌカバレージエリアと重複し得るように重複し得る。ＰＣｅｌｌとＳＣｅｌｌとの間のカバレージエリアの変動および複数のキャリアを用いた動作は、いくつかの状況では、単一のキャリアのみの上で（すなわち、ＣＡを用いずに）動作しているＵＥのためのハンドオーバよりも最適ではない、ＣＡを用いて動作しているＵＥのためのハンドオーバにつながり得る。
【００８０】
[0095]図１２Ａおよび図１２Ｂに、単一のキャリアのみの上で動作している場合にＵＥが実行するであろうハンドオーバよりも最適ではないハンドオーバを実行するＣＡを用いて動作しているＵＥの第１の例を示す。この例では、ＵＥ１２０２は、ＵＥのＰＣｅｌｌカバレージエリア１２０４の外側に移動しているが、依然として、ＵＥのＳＣｅｌｌカバレージエリア１２０６内にある。この例では、ＳＣｅｌｌはＵＥに対して非アクティブにされる。また、この例では、ＳＣｅｌｌが非アクティブにされるので、ＵＥは、ＵＥがＰＣｅｌｌを測定するよりも低い頻度でＳＣｅｌｌを測定する。この例では、ＵＥが基地局から遠ざかっているので、ＰＣｅｌｌの信号強度とＳＣｅｌｌの信号強度は両方とも減少している。しかしながら、ＵＥがＰＣｅｌｌよりも低い頻度でＳＣｅｌｌを測定しているので、ＵＥは、図１２Ｂのグラフによって示されているように、ＳＣｅｌｌの信号強度が減少したとＵＥが決定するよりも高い頻度でＰＣｅｌｌの信号強度が減少したと決定する。階段線１２０８はＰＣｅｌｌの測定値を表し、階段線１２１０はＳＣｅｌｌの測定値を表す。破線１２１２は、ＵＥにおいて受信されたＳＣｅｌｌの実際の電力レベルを表す。この例では、ＵＥは、ＳＣｅｌｌの信号強度がＰＣｅｌｌの信号強度をしきい値量だけ超えたとき、ＰＣｅｌｌからＳＣｅｌｌにハンドオーバするように命令される。実線楕円１２１４は、ＰＣｅｌｌの測定値とＳＣｅｌｌの実際の信号強度とに基づいて、これがいつ行われるべきかを示す。この例では、ＵＥは、ＵＥがＳＣｅｌｌの減少する信号強度を測定するよりも高い頻度でＰＣｅｌｌの減少する信号強度を測定するので、ハンドオーバは破線楕円１２１６においてトリガされる。
【００８１】
[0096]図１３Ａおよび図１３Ｂに、単一のキャリアのみの上で動作している場合にＵＥが実行するであろうハンドオーバよりも最適ではないハンドオーバを実行するＣＡを用いて動作しているＵＥの第２の例を示す。この例では、ＵＥ１２０２は、ＵＥのＰＣｅｌｌカバレージエリア１３０４およびＳＣｅｌｌカバレージエリア１３０６から、ＰＣｅｌｌカバレージエリア１３０８およびＳＣｅｌｌカバレージエリア１３１０に移動している。この例では、ＳＣｅｌｌはＵＥに対して非アクティブにされる。また、この例では、ＳＣｅｌｌが非アクティブにされるので、ＵＥは、ＵＥがＰＣｅｌｌを測定するよりも低い頻度でＳＣｅｌｌを測定する。この例では、ＵＥが基地局１３１２から遠ざかっているので、ＰＣｅｌｌの信号強度とＳＣｅｌｌの信号強度は両方とも減少している。しかしながら、ＵＥがＰＣｅｌｌよりも低い頻度でＳＣｅｌｌを測定しているので、ＵＥは、図１３Ｂのグラフによって示されているように、ＳＣｅｌｌの信号強度が減少したとＵＥが決定するよりも高い頻度でＰＣｅｌｌの信号強度が減少したと決定する。階段破線１３１６はＰＣｅｌｌの測定値を表し、階段破線１３１８はＳＣｅｌｌの測定値を表す。階段破線１３２０は基地局１３１４のＰＣＣ上での測定値を表す。この例では、ＵＥは、ＵＥによって測定されたＳＣｅｌｌの信号強度が、ＵＥによって測定されたＰＣｅｌｌの信号強度をしきい値量だけ超えたとき、ＰＣｅｌｌからＳＣｅｌｌにハンドオーバするように命令される。実線楕円１３２２は、これがいつ行われるかを示す。この例では、ＳＣｅｌｌの信号強度とＰＣｅｌｌの信号強度とは、互いに極めて近似すべきであるが、ＵＥがＰＣｅｌｌよりも低い頻度でＳＣｅｌｌを測定しているので、ＵＥは、ＳＣｅｌｌの信号強度がより高いと決定し、ＵＥは、ＳＣｅｌｌにハンドオーバするように命令される。この例では、ＵＥは、ほぼコールアウト番号１３２４によって示される時間において基地局１３１４にハンドオーバするように命令されるべきである。しかしながら、このハンドオーバは、１３２２におけるＳＣｅｌｌへのハンドオーバによってトリガされたハンドオーバタイマーの満了まで延期され得る。ハンドオーバタイマーは、ワイヤレス通信の分野において知られており、セル境界の近くに移動するＵＥが、２つのセル間で迅速にハンドオーバすること、または「ピンポン」を防ぐためにＬＴＥシステムに共通である。
【００８２】
[0097]図１４Ａおよび図１４Ｂに、単一のキャリアのみの上で動作している場合にＵＥが実行するであろうハンドオーバよりも最適ではないハンドオーバを実行するＣＡを用いて動作しているＵＥの第３の例を示す。この例では、ＵＥ１２０２は、カバレージエリア１４０２をもつセルをＵＥのＰＣｅｌｌとして使用し、カバレージエリア１４０４をもつセルをＵＥのＳＣｅｌｌとして使用するように構成される。この例では、ＵＥは、ＰＣｅｌｌカバレージエリアの外側に移動しており、カバレージエリア１４０６をもつセルをＵＥのＳＣｅｌｌとして使用することのためにスワップしない。この例では、ＳＣｅｌｌはＵＥに対して非アクティブにされる。また、この例では、ＳＣｅｌｌが非アクティブにされるので、ＵＥは、ＵＥがＰＣｅｌｌを測定するよりも低い頻度でＳＣＣ上で測定する。ＵＥがＰＣｅｌｌよりも低い頻度でＳＣＣ上で測定しているので、ＵＥは、図１４Ｂのグラフによって示されているように、カバレージエリア１４０６をもつセルの信号強度が増加したとＵＥが決定するよりも高い頻度でＰＣｅｌｌの信号強度が減少したと決定する。階段線１４０８はＰＣｅｌｌの測定値を表し、階段線１４１０は、カバレージエリア１４０６をもつセルの測定値を表す。破線１４１２は、ＵＥにおいて受信されたカバレージエリア１４０６をもつセルの実際の電力レベルを表す。この例では、ＵＥは、ＳＣｅｌｌの信号強度がＰＣｅｌｌの信号強度をしきい値量だけ超えたとき、ＰＣｅｌｌからＳＣｅｌｌにハンドオーバするように命令される。実線楕円１４１４は、ＰＣｅｌｌの測定値とカバレージエリア１４０６をもつセルの実際の信号強度とに基づいて、これがいつ行われるべきかを示す。この例では、ＵＥは、ＵＥがカバレージエリア１４０６をもつセルの増加する信号強度を測定するよりも高い頻度でＰＣｅｌｌの減少する信号強度を測定するので、ハンドオーバは破線楕円１４１６においてトリガされる。
【００８３】
[0098]本開示のいくつかの態様によれば、ＳＣＣ上のＳＣｅｌｌまたは近隣セルが、ＵＥのサービングＰＣｅｌｌからのＵＥのハンドオーバのためにｅＮＢによって考慮されないことがある。これらの態様によれば、ＳＣＣがハンドオーバのために考慮されないことになるとＵＥが決定した場合、ＵＥは、ＳＣＣ上での探索および測定のレートを変化させないことがある。これらの態様によれば、ＵＥは、ＳＣＣが測定対象またはいくつかの測定イベントで構成されないかどうかを決定することによって、ＳＣＣがハンドオーバのために考慮されるべきではないと決定し得る。たとえば、ＵＥは、ＣＡシステムにおいて動作していることがあり、測定イベントＡ３もＡ５もＳＣＣ上で構成されないと決定し得る。この例では、ＵＥは、ＳＣＣがハンドオーバのために考慮されないことになると決定し得、ＵＥは、測定イベントＡ３またはＡ５がＳＣＣ上で構成されないことに基づいて、ＳＣＣの探索および測定のレートを変化させないことを決定し得る。測定イベントＡ２およびＡ３について上記で説明したが、Ａ５など、他の測定も採用され得る。態様では、測定イベントは、３ＧＰＰ  Ｒｅｌ．１０測定イベントＡ２、Ａ３、および／またはＡ５を含み得る。
【００８４】
[0099]図１５に、たとえば、ＵＥ２０６など、ＵＥによって実行されるワイヤレス通信のための例示的な動作１５００を示す。１５０２において、ＵＥは第１の周波数を１次コンポーネントキャリア（ＰＣＣ）として構成する。たとえば、ＵＥは、５．４ＧＨｚの中心周波数における２０ＭＨｚ帯域をＰＣＣとして構成し得る。１５０４において、ＵＥは第２の周波数を２次コンポーネントキャリア（ＳＣＣ）として構成する。この例では、ＵＥは、５．４２ＧＨｚの中心周波数における２０ＭＨｚ帯域をＳＣＣとして構成し得る。態様では、複数のＳＣＣが構成され得る（たとえば最高４つのＳＣＣ）。１５０６において、ＵＥは、１つまたは複数のサービングセル内で接続モード（たとえば、ＲＲＣ接続モード）にある間に、間欠受信（ＤＲＸ）状態に入る。この例では、ＵＥは、ＰＣＣ上の第１のセルとＳＣＣ上の第２のセルとに接続されている間にＤＲＸ状態に入り得る。１５０８において、ＵＥは、測定トリガリングイベントがＳＣＣ上で構成されるかどうかに基づいて、１つまたは複数のサービングセルに近隣するまたは潜在的に近隣するセルの探索および測定をどのくらいの頻度で実行すべきかを決定する。この例では、ＵＥは、測定イベントＡ３またはＡ５がＳＣＣ上で構成されないと決定し、測定イベントＡ３またはＡ５がＳＣＣ上で構成されないと決定することに基づいて、最小レートにおいてＳＣＣ上で近隣するおよび潜在的に近隣するセルを探索ならびに測定することを決定し得る。態様では、ＵＥは１つまたは複数のサービングセル（ＰＣｅｌｌと１つまたは複数のＳＣｅｌｌ）を有することができる。各セルは周波数上にある。したがって、ＰＣＣと１つまたは複数のＳＣＣとがある。各サービング周波数（ＰＣＣまたはＳＣＣ）は、各周波数上の１つのサービングセルと、その周波数上の潜在的に１つまたは複数のネイバーとの複数のセルを有することができる。
【００８５】
[0100]本開示のいくつかの態様によれば、ＵＥは、決定によって示されるたびに第２の周波数上での探索および測定を実行し得る。たとえば、ＰＣＣと１つまたは複数のＳＣＣとで構成された、ＣＡシステムにおいて動作しているＵＥは、ＰＣＣ上でのネイバーセルの探索および測定のレートを増加させることを決定し得、また、ＰＣＣ上でのネイバーセルの探索および測定のレートとは異なる最小レートにおいて１つまたは複数のＳＣＣ上でのネイバーセルの探索および測定を続けることを決定し得る。
【００８６】
[0101]いくつかの態様によれば、ＵＥは、ＳＣｅｌｌがＳＣＣ上でアクティブにされるかどうかにさらに基づいて、第２の周波数上での探索および測定を実行することを決定し得る。たとえば、ＰＣＣとＳＣＣとで構成された、ＣＡシステムにおいて動作しているＵＥは、ＳＣｅｌｌがＳＣＣ上でアクティブにされると決定し得、ＵＥは、サービングセルがＳＣＣ上でアクティブにされることに基づいて、ＳＣＣ上でのネイバーセルの探索および測定のレートを増加または減少させることを決定し得る。
【００８７】
[0102]いくつかの態様によれば、ＵＥは、１次サービング周波数上のセルの信号品質メトリック、あるいは１つまたは複数のサービングコンポーネントキャリア上のセルに近隣するまたは潜在的に近隣する１つまたは複数の２次サービングセルの信号品質メトリックに対する１次サービング周波数上の信号品質メトリックのうちの少なくとも１つを示す１つまたは複数のファクタにさらに基づいて、第２の周波数上での探索および測定を実行することを決定し得る。すなわち、ＵＥは、ＰＣｅｌｌの信号品質とＰＣＣ上の近隣セルまたはＳＣＣ上のセルの信号品質との比較に基づいて、第２のサービング周波数上でのセル探索および測定をどのくらいの頻度で実行すべきかを決定し得る。たとえば、ＰＣｅｌｌとＳＣｅｌｌとで構成された、ＣＡシステムにおいて動作しているＵＥは、ＳＣＣ上のネイバーの信号強度が、ＰＣｅｌｌまたはＰＣＣ上のネイバーセルの信号強度よりも高いことに基づいて、第２のサービング周波数上での探索および測定のレートを増加させることを決定し得る。
【００８８】
[0103]いくつかの態様によれば、１つまたは複数のファクタは、１つまたは複数のサービングセルの基準信号の受信に関係するメトリック、１つまたは複数のサービングセルの信号対雑音比（ＳＮＲ）、ＰＣＣまたはＳＣＣ上で測定イベントに入るための条件の満足、あるいはＰＣｅｌｌ上のダウンリンク（ＤＬ）チャネルの復号失敗の発生のうちの少なくとも１つを備える。たとえば、ＵＥは、１次周波数上のサービングセルのＲＳＲＰがしきい値を下回って減少することに基づいて、第２の周波数上でのネイバーセルの探索および測定のレートを増加させることを決定し得る。
【００８９】
[0104]いくつかの態様によれば、上記決定することは、１つまたは複数のファクタに基づいて、ＵＥが複数の状態のうちの１つにあるかどうかを決定することを備え、各状態は、サービングセルに近隣するまたは潜在的に近隣するセルの第２の周波数上での探索を実行するための対応する周期性と、１つまたは複数のサービングセルに近隣するまたは潜在的に近隣するセルの第２の周波数上での測定を実行するための対応する周期性とを有する。態様では、そのような周期性は、たとえば、ネットワークによって与えられるＵＥ構成に関連付けられたそれらの周期性とは異なり得る。
【００９０】
[0105]いくつかの態様によれば、複数の状態は少なくとも第１、第２、および第３の状態を備え、第１、第２、および第３の状態の各々について第２の周波数上でのサービングセルに近隣するまたは潜在的に近隣するセルの探索および／または測定を実行するための周期性は、第２の周波数上での探索および／または測定が、第１の状態についてよりも第２の状態について高い頻度で実行され、第２の状態についてよりも第３の状態について高い頻度で実行されるようなものである。
【００９１】
[0106]いくつかの態様によれば、１つまたは複数のファクタに基づいて、ＵＥが複数の状態のうちの１つにあるかどうかを決定することは、第１の周波数上でのサービングセルの基準信号の受信に関係するメトリックが第１のしきい値よりも小さいか、サービングセルの第１の周波数上の信号対雑音比（ＳＮＲ）が第２のしきい値よりも小さいか、第１の測定イベントに入るための条件の満足が生じるか、あるいは１つまたは複数のサービングセル中のＰＣｅｌｌ上のダウンリンク（ＤＬ）チャネルの復号失敗が生じるかのうちの少なくとも１つである場合、ＵＥが第３の状態にあると決定することを含む。たとえば、ＵＥは、ＰＣｅｌｌのＲＳＲＱが第１のしきい値を下回る場合、第３の状態に遷移するか、またはその状態に留まることを決定し得る。
【００９２】
[0107]いくつかの態様によれば、１つまたは複数のファクタに基づいて、ＵＥが複数の状態のうちの１つにあるかどうかを決定することは、ＰＣｅｌｌの基準信号の受信に関係するメトリックが第３のしきい値よりも小さいか、ＰＣｅｌｌのＳＮＲが第４のしきい値よりも小さいか、または第２の測定イベントに入るための条件の満足が生じるかのうちの少なくとも１つである場合、ＵＥが第２の状態にあると決定することをさらに備える。たとえば、ＵＥは、ＰＣｅｌｌのＲＳＲＱが第３のしきい値を下回る場合、第２の状態に遷移するか、またはその状態に留まることを決定し得る。
【００９３】
[0108]いくつかの態様によれば、１つまたは複数のファクタに基づいて、ＵＥが複数の状態のうちの１つにあるかどうかを決定することは、ＵＥが第２の状態または第３の状態のいずれかにあると決定されない場合、ＵＥが第１の状態にあると決定することをさらに備える。
【００９４】
[0109]いくつかの態様によれば、ＵＥは、１つまたは複数のＳＣｅｌｌの基準信号の受信に関係するメトリック、１つまたは複数のＳＣｅｌｌの信号対雑音比（ＳＮＲ）、あるいはＳＣＣ上のＳＣｅｌｌまたはネイバーセルによってトリガされる測定イベントに入るための条件の満足に基づいて、第２の周波数上での探索および測定をどのくらいの頻度で実行すべきかを決定し得る。たとえば、ＣＡシステムにおいて動作しているＵＥは、ＳＣｅｌｌの信号強度が第２のしきい値を下回ると決定し得、ＵＥは、ＳＣＣの測定のレートを最大レートまで増加させることを決定し得る。
【００９５】
[0110]いくつかの態様によれば、上記決定することは、１つまたは複数のファクタに基づいて、ＵＥが複数の状態のうちの１つにあるかどうかを決定することを備え、各状態は、サービングセルに近隣するまたは潜在的に近隣するセルの第２の周波数上での探索を実行するための対応する周期性と、１つまたは複数のサービングセルに近隣するまたは潜在的に近隣するセルの第２の周波数上での測定を実行するための対応する周期性とを有する。態様では、そのような周期性は、たとえば、ネットワークによって与えられるＵＥ構成に関連付けられたそれらの周期性とは異なり得る。
【００９６】
[0111]いくつかの態様によれば、複数の状態は少なくとも第１および第２の状態を備え、第１および第２の状態の各々についてサービングセルに近隣するまたは潜在的に近隣するセルの第２の周波数上での探索および／または測定を実行するための周期性は、探索および／または測定が第１の状態についてよりも第２の状態について高い頻度で実行されるようなものである。たとえば、第１の状態の周期性は、３ＧＰＰ  ＴＳ３６．１３３からのセクション８．３に記載されている最大周期性（すなわち、最小レート）ごとであり得るが、第２の状態の周期性は、第１の状態の周期性の１／２である（すなわち、レートを２倍にする）ように定義され得る。
【００９７】
[0112]いくつかの態様によれば、１つまたは複数のファクタに基づいて、ＵＥが複数の状態のうちの１つにあるかどうかを決定することは、１つのＰＣｅｌｌの基準信号の受信に関係するメトリックが第１のしきい値よりも小さいか、ＰＣｅｌｌのＳＮＲが第２のしきい値よりも小さいか、または第１の測定イベントのエントランス条件の満足が生じるかのうちの少なくとも１つと、１つまたは複数のＳＣｅｌｌの基準信号の受信に関係するメトリックが第３のしきい値よりも小さいか、１つまたは複数のＳＣｅｌｌの信号対雑音比（ＳＮＲ）が第４のしきい値よりも小さいか、あるいはＳＣＣ上のＳＣｅｌｌまたはネイバーセルによってトリガされる第２の測定イベントのエントランス条件の満足のうちの少なくとも１つとである場合、ＵＥが第２の状態にあると決定することをさらに備える。たとえば、ＵＥは、ＰＣｅｌｌのＲＳＲＱが第１のしきい値を下回り、１つまたは複数のＳＣｅｌｌ  ＲＳＲＱが第３のしきい値を下回る場合、第２の状態に遷移するか、またはその状態に留まることを決定し得る。
【００９８】
[0113]いくつかの態様によれば、１つまたは複数のファクタに基づいて、ＵＥが複数の状態のうちの１つにあるかどうかを決定することは、ＵＥが第２の状態にあると決定されない場合、ＵＥが第１の状態にあると決定することをさらに備える。
【００９９】
[0114]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１００】
[0115]さらに、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用する冠詞「ａ」および「ａｎ」は、別段に規定されていない限り、または単数形を対象とすることが文脈から明らかでない限り、概して「１つまたは複数」を意味するものと解釈されるべきである。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０１】
[0116]以上の説明は、当業者が本明細書で説明した様々な態様を実施できるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「ための手段」という句を使用して明示的に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）によるワイヤレス通信のための方法であって、
サービングセル内で接続モードにある間に、間欠受信（ＤＲＸ）状態に入ることと、
前記サービングセルに近隣するまたは潜在的に近隣するセルにおける前記サービングセルに対する少なくとも信号品質を示す１つまたは複数のファクタに基づいて、前記サービングセルに近隣するまたは潜在的に近隣するセルの探索および測定をどのくらいの頻度で実行すべきかを決定することと
を備える、方法。
［Ｃ２］
決定されるたびに前記サービングセルに近隣するまたは潜在的に近隣するセルの探索および測定を実行することをさらに備える、Ｃ１に記載の方法。
［Ｃ３］
前記１つまたは複数のファクタが、
前記サービングセルの基準信号の受信に関係するメトリック、前記サービングセルの信号対雑音比（ＳＮＲ）、測定イベントに入るための条件の満足、または前記サービングセル中のダウンリンク（ＤＬ）チャネルの復号失敗の発生
のうちの少なくとも１つを備える、Ｃ１に記載の方法。
［Ｃ４］
前記決定することは、前記１つまたは複数のファクタに基づいて、前記ＵＥが複数の状態のうちの１つにあるかどうかを決定することを備え、
各状態が、前記サービングセルに近隣するまたは潜在的に近隣するセルの探索を実行するための対応する周期性と、前記サービングセルに近隣するまたは潜在的に近隣するセルの測定を実行するための対応する周期性とを有する、Ｃ１に記載の方法。
［Ｃ５］
第１の状態の周期性が、前記サービングセルに近隣するまたは潜在的に近隣するセルの探索および測定をどのくらいの頻度で実行すべきかについての最小定義要件に対応する、Ｃ４に記載の方法。
［Ｃ６］
前記複数の状態が少なくとも第１および第２の状態を備え、
前記第１および第２の状態の各々について前記サービングセルに近隣するまたは潜在的に近隣するセルの探索および測定を実行するための周期性は、探索および測定が前記第１の状態についてよりも前記第２の状態について高い頻度で実行されるようなものである、Ｃ４に記載の方法。
［Ｃ７］
前記複数の状態が少なくとも第１、第２、および第３の状態を備え、
前記第１、第２、および第３の状態の各々について前記サービングセルに近隣するまたは潜在的に近隣するセルの探索および測定を実行するための周期性は、探索および測定が、前記第１の状態についてよりも前記第２の状態について高い頻度で実行され、前記第２の状態についてよりも前記第３の状態について高い頻度で実行されるようなものである、Ｃ４に記載の方法。
［Ｃ８］
前記１つまたは複数のファクタに基づいて、前記ＵＥが複数の状態のうちの１つにあるかどうかを決定することは、
前記サービングセルの基準信号の受信に関係するメトリックが第１のしきい値よりも小さいか、前記サービングセルの信号対雑音比（ＳＮＲ）が第２のしきい値よりも小さいか、第１の測定イベントに入るための条件の満足が生じるか、または前記サービングセル中のダウンリンク（ＤＬ）チャネルの復号失敗が生じるかのうちの少なくとも１つである場合、前記ＵＥが前記第３の状態にあると決定すること
を備える、Ｃ７に記載の方法。
［Ｃ９］
前記１つまたは複数のファクタに基づいて、前記ＵＥが複数の状態のうちの１つにあるかどうかを決定することは、
前記サービングセルの前記基準信号の受信に関係する前記メトリックが第３のしきい値よりも小さいか、前記サービングセルの前記ＳＮＲが第４のしきい値よりも小さいか、または第２の測定イベントに入るための条件の満足が生じるかのうちの少なくとも１つである場合、前記ＵＥが前記第２の状態にあると決定すること
をさらに備える、Ｃ８に記載の方法。
［Ｃ１０］
前記１つまたは複数のファクタに基づいて、前記ＵＥが複数の状態のうちの１つにあるかどうかを決定することは、
前記ＵＥが前記第２の状態または前記第３の状態のいずれかにあると決定されない場合、前記ＵＥが前記第１の状態にあると決定すること
をさらに備える、Ｃ９に記載の方法。
［Ｃ１１］
ユーザ機器（ＵＥ）によるワイヤレス通信のための方法であって、
第１のサービング周波数を１次コンポーネントキャリア（ＰＣＣ）として構成することと、
第２のサービング周波数を２次コンポーネントキャリア（ＳＣＣ）として構成することと、
１つまたは複数のサービングセル内で接続モードにある間に、間欠受信（ＤＲＸ）状態に入ることと、
測定トリガリングイベントが前記ＳＣＣ上で構成されるかどうかに基づいて、前記１つまたは複数のサービングセルに近隣するまたは潜在的に近隣するセルの前記第２のサービング周波数上での探索および測定をどのくらいの頻度で実行すべきかを決定することと
を備える、方法。
［Ｃ１２］
決定されるたびに前記１つまたは複数のサービングセルに近隣するまたは潜在的に近隣するセルの前記第２のサービング周波数上での探索および測定を実行することをさらに備える、Ｃ１１に記載の方法。
［Ｃ１３］
前記決定することは、サービングセルが１つまたは複数のＳＣＣ上でアクティブにされたかどうかにさらに基づく、Ｃ１１に記載の方法。
［Ｃ１４］
前記決定することが、
１次セル（ＰＣｅｌｌ）の基準信号の前記第１のサービング周波数上での受信に関係するメトリック、前記ＰＣｅｌｌの信号対雑音比（ＳＮＲ）、測定イベントに入るための条件の満足、または前記ＰＣｅｌｌ上のダウンリンク（ＤＬ）チャネルの復号失敗の発生のうちの少なくとも１つを備える１つまたは複数のファクタにさらに基づく、Ｃ１３に記載の方法。
［Ｃ１５］
前記決定することは、前記１つまたは複数のファクタに基づいて、前記ＵＥが複数の状態のうちの１つにあるかどうかを決定することを備え、
各状態が、前記１つまたは複数のサービングセルに近隣するまたは潜在的に近隣するセルの前記第２のサービング周波数上での探索を実行するための対応する周期性と、前記１つまたは複数のサービングセルに近隣するまたは潜在的に近隣するセルの前記第２のサービング周波数上での測定を実行するための対応する周期性とのうちの少なくとも１つを有する、Ｃ１３に記載の方法。
［Ｃ１６］
前記複数の状態が少なくとも第１、第２、および第３の状態を備え、
前記第１、第２、および第３の状態の各々について前記第２のサービング周波数上での前記１つまたは複数のサービングセルに近隣するまたは潜在的に近隣するセルの探索を実行するための周期性は、前記第２のサービング周波数上での探索が、前記第１の状態についてよりも前記第２の状態について高い頻度で実行され、前記第２の状態についてよりも前記第３の状態について高い頻度で実行されるようなものであるか、または
前記第１、第２、および第３の状態の各々について前記第２のサービング周波数上での前記１つまたは複数のサービングセルに近隣するまたは潜在的に近隣するセルの測定を実行するための周期性は、前記第２のサービング周波数上での測定が、前記第１の状態についてよりも前記第２の状態について高い頻度で実行され、前記第２の状態についてよりも前記第３の状態について高い頻度で実行されるようなものであるか
のうちの少なくとも１つである、Ｃ１５に記載の方法。
［Ｃ１７］
前記１つまたは複数のファクタに基づいて、前記ＵＥが複数の状態のうちの１つにあるかどうかを決定することは、
前記ＰＣｅｌｌの基準信号の前記第１のサービング周波数上での受信に関係するメトリックが第１のしきい値よりも小さいか、前記ＰＣｅｌｌの信号対雑音比（ＳＮＲ）が第２のしきい値よりも小さいか、第１の測定イベントに入るための条件の満足が生じるか、または前記ＰＣｅｌｌ上のダウンリンク（ＤＬ）チャネルの復号失敗が生じるかのうちの少なくとも１つである場合、前記ＵＥが前記第３の状態にあると決定すること
を備える、Ｃ１６に記載の方法。
［Ｃ１８］
前記１つまたは複数のファクタに基づいて、前記ＵＥが複数の状態のうちの１つにあるかどうかを決定することは、
前記ＰＣｅｌｌの前記第１のサービング周波数上での前記基準信号の受信に関係する前記メトリックが第３のしきい値よりも小さいか、前記ＰＣｅｌｌの前記ＳＮＲが第４のしきい値よりも小さいか、または第２の測定イベントに入るための条件の満足が生じるかのうちの少なくとも１つである場合、前記ＵＥが前記第２の状態にあると決定すること
をさらに備える、Ｃ１７に記載の方法。
［Ｃ１９］
前記１つまたは複数のファクタに基づいて、前記ＵＥが複数の状態のうちの１つにあるかどうかを決定することは、
前記ＵＥが前記第２の状態または前記第３の状態のいずれかにあると決定されない場合、前記ＵＥが前記第１の状態にあると決定すること
をさらに備える、Ｃ１８に記載の方法。
［Ｃ２０］
前記１つまたは複数のファクタが、
前記ＰＣｅｌｌの基準信号の前記第１のサービング周波数上での受信に関係するメトリック、前記ＰＣｅｌｌの信号対雑音比（ＳＮＲ）、第１の測定イベントに入るための条件の満足、または前記ＰＣｅｌｌ上のダウンリンク（ＤＬ）チャネルの復号失敗の発生のうちの少なくとも１つをさらに備え、
前記１つまたは複数のファクタが、
ＳＣｅｌｌの基準信号の前記第２のサービング周波数上での受信に関係するメトリック、ＳＣｅｌｌの信号対雑音比（ＳＮＲ）、または第２の測定イベントに入るための条件の満足
のうちの少なくとも１つをさらに備える、Ｃ１４に記載の方法。
［Ｃ２１］
前記決定することは、前記１つまたは複数のファクタに基づいて、前記ＵＥが複数の状態のうちの１つにあるかどうかを決定することを備え、
各状態が、前記１つまたは複数のサービングセルに近隣するまたは潜在的に近隣するセルの前記第２のサービング周波数上での探索を実行するための対応する周期性を有するか、または
各状態が、前記１つまたは複数のサービングセルに近隣するまたは潜在的に近隣するセルの前記第２のサービング周波数上での測定を実行するための対応する周期性を有するか
のうちの少なくとも１つである、Ｃ２０に記載の方法。
［Ｃ２２］
前記複数の状態が少なくとも第１および第２の状態を備え、
前記第１および第２の状態の各々について前記１つまたは複数のサービングセルに近隣するまたは潜在的に近隣するセルの探索を実行するための周期性は、探索が前記第１の状態についてよりも前記第２の状態について高い頻度で実行されるようなものであるか、または
前記第１および第２の状態の各々について前記１つまたは複数のサービングセルに近隣するまたは潜在的に近隣するセルの測定を実行するための周期性は、測定が前記第１の状態についてよりも前記第２の状態について高い頻度で実行されるようなものであるか
のうちの少なくとも１つである、Ｃ２１に記載の方法。
［Ｃ２３］
前記１つまたは複数のファクタに基づいて、前記ＵＥが複数の状態のうちの１つにあるかどうかを決定することは、
前記ＰＣｅｌｌの前記基準信号の受信に関係する前記メトリックが第１のしきい値よりも小さいか、前記ＰＣｅｌｌの前記ＳＮＲが第２のしきい値よりも小さいか、第１の測定イベントに入るための条件の満足が生じるか、または前記ＰＣｅｌｌ上のダウンリンク（ＤＬ）チャネルの復号失敗が生じるかのうちの少なくとも１つと、
ＳＣｅｌｌの基準信号の前記第２のサービング周波数上での受信に関係する前記メトリックが第３のしきい値よりも小さいか、ＳＣｅｌｌの上の前記信号対雑音比（ＳＮＲ）が第４のしきい値よりも小さいか、または第２の測定イベントに入るための条件の満足が生じるかのうちの少なくとも１つと
である場合、前記ＵＥが前記第２の状態にあると決定すること
をさらに備える、Ｃ２２に記載の方法。
［Ｃ２４］
前記１つまたは複数のファクタに基づいて、前記ＵＥが複数の状態のうちの１つにあるかどうかを決定することは、
前記ＵＥが前記第２の状態にあると決定されない場合、前記ＵＥが前記第１の状態にあると決定すること
をさらに備える、Ｃ２３に記載の方法。
［Ｃ２５］
サービングセル内で接続モードにある間に、間欠受信（ＤＲＸ）状態に入ることと、
前記サービングセルに近隣するまたは潜在的に近隣するセルにおける前記サービングセルに対する信号品質を示す１つまたは複数のファクタに基づいて、前記サービングセルに近隣するまたは潜在的に近隣するセルの探索および測定をどのくらいの頻度で実行すべきかを決定することと
を行うように構成されたプロセッサと、
前記プロセッサに結合されたメモリと
を備える、ワイヤレス通信のための装置。
［Ｃ２６］
前記プロセッサが、決定されるたびに前記サービングセルに近隣するまたは潜在的に近隣するセルの探索および測定を実行するようにさらに構成された、Ｃ２５に記載の装置。
［Ｃ２７］
第１のサービング周波数を１次コンポーネントキャリア（ＰＣＣ）として構成することと、
第２のサービング周波数を２次コンポーネントキャリア（ＳＣＣ）として構成することと、
１つまたは複数のサービングセル内で接続モードにある間に、間欠受信（ＤＲＸ）状態に入ることと、
測定トリガリングイベントが前記ＳＣＣ上で構成されるかどうかに基づいて、前記１つまたは複数のサービングセルに近隣するまたは潜在的に近隣するセルの前記第２のサービング周波数上での探索および測定をどのくらいの頻度で実行すべきかを決定することと
を行うように構成されたプロセッサと、
前記プロセッサに結合されたメモリと
を備える、ワイヤレス通信のための装置。
［Ｃ２８］
前記プロセッサが、決定するたびに前記１つまたは複数のサービングセルに近隣するまたは潜在的に近隣するセルの前記第２のサービング周波数上での探索および測定を実行するようにさらに構成された、Ｃ２７に記載の装置。
【図１】
0006453313.tif 000005
【図２】
0006453313.tif 000006
【図３】
0006453313.tif 000007
【図４】
0006453313.tif 000008
【図５】
0006453313.tif 000009
【図６】
0006453313.tif 000010
【図７】
0006453313.tif 000011
【図８】
0006453313.tif 000012
【図９】
0006453313.tif 000013
【図１０Ａ】
0006453313.tif 000014
【図１０Ｂ】
0006453313.tif 000015
【図１０Ｃ】
0006453313.tif 000016
【図１１】
0006453313.tif 000017
【図１２Ａ】
0006453313.tif 000018
【図１２Ｂ】
0006453313.tif 000019
【図１３Ａ】
0006453313.tif 000020
【図１３Ｂ】
0006453313.tif 000021
【図１４Ａ】
0006453313.tif 000022
【図１４Ｂ】
0006453313.tif 000023
【図１５】
0006453313.tif 000024